(57)【要約】      （修正有）【課題】スムーズに伸縮できる多層伸縮カバーを提供する。【解決手段】外層カバー２と、内層カバー３と、複数の支持板５とを備えている多層伸縮カバーであって、外層カバーは、蛇腹折りされ、３つ以上の第１の山折り線２１及び複数の第１の谷折り線が形成され、各２つの第１の山折り線間に、伸縮可能の外カバー部２３が画成されている。内層カバーは、外層カバーに対応して蛇腹折りされ、３つ以上の第２の山折り線３２及び複数の第２の谷折り線３１が形成され、各２つの第２の山折り線間に、伸縮可能の内カバー部３３が画成されている。複数の支持板は、各第２の山折り線及び各第１の山折り線を支持しながら、前後方向Ｙに移動できるように設置され、各内カバー部は、内層カバーの内側へ折られ、外カバー部の少なくとも１部を収容する収容空間３３０を画成している。【選択図】図３
0003230065.tif 000002
【実用新案登録請求の範囲】
【請求項１】
可撓性材料により一体的に形成されているものであって、折りの進行方向が前後方向であるように蛇腹折りされていて、３つ以上の第１の山折り線及び複数の第１の谷折り線が交互に並ぶように形成されている上、各隣り合う２つの前記第１の山折り線間に、前記第１の谷折り線が中間に位置する１つの伸縮可能の外カバー部が画成されている外層カバーと、
可撓性材料により一体的に形成され且つ前記外層カバーに包まれるように前記外層カバーの内側に設置されているものであって、折りの進行方向が前記前後方向であるように蛇腹折りされていて、前記３つ以上の第１の山折り線と対応する３つ以上の第２の山折り線及び前記複数の第１の谷折り線と対応する複数の第２の谷折り線が交互に並ぶように形成されている上、各隣り合う２つの前記第２の山折り線間に、前記外カバー部と対応しながら前記第２の谷折り線が中間に位置する１つの伸縮可能の内カバー部が画成されている内層カバーと、
各前記第２の山折り線及び各前記第２の山折り線と対応する各前記第１の山折り線を前記内層カバーの内側から支持しながら、前記前後方向に移動できるように設置されていて、前記前後方向に移動することにより前記内層カバー及び前記外層カバーを伸縮移動させることができる複数の支持板と、を備えており、
各前記外カバー部は、
左右方向に延伸している主カバー部と、
前記主カバー部の左右両側に位置し且つ上下方向における下方へ延伸するように構成されている側カバー部と、を備えており、
各前記内カバー部は、
前記内層カバーの内側へ折られていて、対応する前記外カバー部の少なくとも１部を収容する収容空間を画成しているものであって、
対応する前記外カバー部の前記主カバー部の下方にある主折り部と、
対応する前記外カバー部の前記側カバー部の内側にある側折り部と、を備えていることを特徴とする多層伸縮カバー。
【請求項２】
各前記側折り部は、
前記主折り部の左右両端から外側且つ下へ斜めに延伸している上、互いに向かって斜めに連接している２つの斜面部と、
前記２つの斜面部の下端から下へ延伸している上、互いに向かって斜めに連接している２つの側面部と、を更に備えており、
各前記支持板は、対応する前記第２の山折り線に嵌入するための外周縁と、前記外周縁の反対側にある内周縁と、を有することを特徴とする請求項１に記載の多層伸縮カバー。
【請求項３】
各前記側折り部は、前記２つの側面部の下端から前記内層カバーの内側へ延伸している上、互いに向かって斜めに連接している２つの内折面部を更に備えていることを特徴とする請求項２に記載の多層伸縮カバー。
【請求項４】
各前記外カバー部は、各前記側カバー部から前記外層カバーの内側へ延伸して、対応する前記内層カバーの各前記内折面部を包んでいる２つの包み部を更に備えていることを特徴とする請求項３に記載の多層伸縮カバー。
【請求項５】
各前記第２の山折り線は、
２つの前記主折り部に挟まれ、前記左右方向に延伸している主折り線段と、
前記主折り線段の左右両端から外側且つ下へ斜めに延伸している２つの斜折り線段と、
前記２つの斜折り線段の先端から下へ延伸している２つの縦折り線段と、を有し、
各前記支持板の前記外周縁には、前記２つの斜折り線段のそれぞれに対応する２つの面取り段を有することを特徴とする請求項２〜請求項４のいずれか一項に記載の多層伸縮カバー。
【請求項６】
各前記支持板の前記内周縁には、前記上下方向において前記面取り段より下方の位置で、摺動段が前記左右方向に延伸するように形成されていることを特徴とする請求項５に記載の多層伸縮カバー。
【請求項７】
互いに前記前後方向で重なって連接しながら前記外層カバーの伸縮移動と共に展開または収縮できるように、前記外層カバーの外側に設置されている複数のブロック板を更に含むことを特徴とする請求項１〜請求項６のいずれか一項に記載の多層伸縮カバー。
【請求項８】
各前記外カバー部は、前記主カバー部と各前記側カバー部とに連接している２つの連接部を更に備えていることを特徴とする請求項１〜請求項７のいずれか一項に記載の多層伸縮カバー。
【請求項９】
複数の前記内層カバーを備えていることを特徴とする請求項１〜請求項８のいずれか一項に記載の多層伸縮カバー。
【考案の詳細な説明】
【技術分野】
【０００１】
本考案は、工作機械の状態を維持または保護する安全装置に関し、特に多層伸縮カバーに関する。
【背景技術】
【０００２】
特許文献１には、本願出願者が考案した多層伸縮カバーが開示されている。図１に示されるように、特許文献１の多層伸縮カバーは、連続する略Ｗ形に伸縮できる第１の遮蔽布１１と、第１の遮蔽布１１の内側に設置され、連続する略Ｗ形に伸縮できる第２の遮蔽布１２と、第１の遮蔽布１１と第２の遮蔽布１２とに挟まれている複数の支持板１３と、複数のブロック板１４とを備えている。
【０００３】
各支持板１３は、第１の遮蔽布１１と第２の遮蔽布１２との間にある逆Ｕ字形の板本体１３１と、板本体１３１の左右両側の下端にあって、露出した２つの勾部とを有する。
【０００４】
前記２つの勾部により、支持板１３はスライド可能に一対のレールに設置できる。
【０００５】
複数のブロック板１４は、互いに重なって連接しながら第１の遮蔽布１１の伸縮移動と共に展開または収縮できるように、第１の遮蔽布１１の上方に設置されている。
【０００６】
各支持板１３がスライドして、互いに接近または離れることにより、第１の遮蔽布１１と第２の遮蔽布１２とが相対的に展開または収縮できる。第１の遮蔽布１１と第２の遮蔽布１２とにより、工作機械で加工する際に生じる加工屑の侵入を防ぐ上、２枚の遮蔽布により多層伸縮カバーの耐用年数が延びる。
【先行技術文献】
【特許文献】
【０００７】
【特許文献１】台湾実用新案第Ｍ５５９７７３号公報
【考案の概要】
【考案が解決しようとする課題】
【０００８】
しかしながら、特許文献１における第１の遮蔽布１１と第２の遮蔽布１２とは、山折り部分と谷折り部分とが対応するように設置されている上、支持板１３の板本体１３１は第１の遮蔽布１１と第２の遮蔽布１２とに挟まれているので、多層伸縮カバーが収縮する際に、第１の遮蔽布１１の谷折り部分が下へ移動し、それに対応する第２の遮蔽布１２の山折り部分が上へ移動することになる。従って、多層伸縮カバーが収縮する際に、第１の遮蔽布１１と第２の遮蔽布１２とが互いに干渉して、多層伸縮カバーの伸縮動作に悪影響を及ぼす。
【０００９】
本願の出願人は、上記問題点に鑑みて、本考案において、伸縮動作に影響が少ない多層伸縮カバーの提供を目的とする。
【課題を解決するための手段】
【００１０】
上記目的を達成すべく、本考案は、可撓性材料により一体的に形成されているものであって、折りの進行方向が前後方向であるように蛇腹折りされていて、３つ以上の第１の山折り線及び複数の第１の谷折り線が交互に並ぶように形成されている上、各隣り合う２つの前記第１の山折り線間に、前記第１の谷折り線が中間に位置する１つの伸縮可能の外カバー部が画成されている外層カバーと、
可撓性材料により一体的に形成され且つ前記外層カバーに包まれるように前記外層カバーの内側に設置されているものであって、折りの進行方向が前記前後方向であるように蛇腹折りされていて、前記３つ以上の第１の山折り線と対応する３つ以上の第２の山折り線及び前記複数の第１の谷折り線と対応する複数の第２の谷折り線が交互に並ぶように形成されている上、各隣り合う２つの前記第２の山折り線間に、前記外カバー部と対応しながら前記第２の谷折り線が中間に位置する１つの伸縮可能の内カバー部が画成されている内層カバーと、
各前記第２の山折り線及び各前記第２の山折り線と対応する各前記第１の山折り線を前記内層カバーの内側から支持しながら、前記前後方向に移動できるように設置されていて、前記前後方向に移動することにより前記内層カバー及び前記外層カバーを伸縮移動させることができる複数の支持板と、を備えており、
各前記外カバー部は、
左右方向に延伸している主カバー部と、
前記主カバー部の左右両側に位置し且つ上下方向における下方へ延伸するように構成されている側カバー部と、を備えており、
各前記内カバー部は、
前記内層カバーの内側へ折られていて、対応する前記外カバー部の少なくとも１部を収容する収容空間を画成しているものであって、
対応する前記外カバー部の前記主カバー部の下方にある主折り部と、
対応する前記外カバー部の前記側カバー部の内側にある側折り部と、を備えていることを特徴とする多層伸縮カバーを提供する。
【考案の効果】
【００１１】
上記の構成により、本考案の多層伸縮カバーは、内層カバーの内カバー部が画成している収容空間により、外層カバーの外カバー部の少なくとも１部が収容空間に収容されていると共に、支持板が内層カバーの内側に設置されているので、伸縮の際に外層カバーと内層カバーとの間に従来のような干渉が生じず、組み合わせの利便性が高くなり、多層伸縮カバーがよりスムーズに伸縮できる。
【図面の簡単な説明】
【００１２】
【図１】従来の多層伸縮カバーを示す部分断面図である。
【図２】本考案の多層伸縮カバーの実施形態を示す斜視図である。
【図３】上記多層伸縮カバーの部品分解図である。
【図４】上記多層伸縮カバーの外層カバーと内層カバーとの組み合わせを示す部分正面図である。
【図５】上記多層伸縮カバーの内側視点の斜視図である。
【図６】上記多層伸縮カバーの部分断面図である。
【図７】本考案の多層伸縮カバーの変化例を示す側面図である。
【考案を実施するための形態】
【００１３】
以下、図面を参照しながら、本考案の多層伸縮カバーの実施形態について詳しく説明する。
【００１４】
図２は本考案の多層伸縮カバーの実施形態を示す図である。図３は上記多層伸縮カバーの部品分解図である。図４は上記多層伸縮カバーの外層カバーと内層カバーとの組み合わせを示す部分正面図である。図５は上記多層伸縮カバーの内側視点の斜視図である。図６は上記多層伸縮カバーの部分断面図である。
【００１５】
本考案の多層伸縮カバーは、図２及び図３に示されるように、外層カバー２と、内層カバー３と、複数のブロック板４と、複数の支持板５とを備えている。
【００１６】
外層カバー２は、図３に示されるように、可撓性材料により一体的に形成されているものであって、折りの進行方向が前後方向Ｙであるように蛇腹折りされていて、３つ以上の第１の山折り線２１及び複数の第１の谷折り線２２が交互に並ぶように形成されている上、各隣り合う２つの第１の山折り線２１間に、第１の谷折り線２２が中間に位置する１つの伸縮可能の外カバー部２３が画成されている。
【００１７】
各外カバー部２３は、図３及び図６に示されるように、左右方向Ｘに延伸している主カバー部２３１と、主カバー部２３１の左右両側に位置し且つ上下方向Ｚにおける下方へ延伸するように構成されている側カバー部２３２と、主カバー部２３１と各側カバー部２３２とに連接している２つの連接部２３４とを備えている。
【００１８】
各主カバー部２３１、各側カバー部２３２及び各連接部２３４は、図２及び図３に示されるように、互いに向かうように連接している２つの表面を有する。各外カバー部２３は、それらの表面が互いに接近または離れることにより伸縮する。
【００１９】
内層カバー３は、図３〜図６に示されるように、可撓性材料により一体的に形成され且つ外層カバー２に包まれるように外層カバー２の内側に設置されているものであって、折りの進行方向が前後方向Ｙであるように蛇腹折りされていて、３つ以上の第１の山折り線２１と対応する３つ以上の第２の山折り線３２及び複数の第１の谷折り線２２と対応する複数の第２の谷折り線３１が交互に並ぶように形成されている上、各隣り合う２つの第２の山折り線３２間に、外カバー部２３と対応しながら第２の谷折り線３１が中間に位置する１つの伸縮可能の内カバー部３３が画成されている。
【００２０】
各内カバー部３３は、図３〜図６に示されるように、内層カバー３の内側へ折られていて、対応する外カバー部２３少なくとも１部を収容する収容空間３３０を画成しているものであって、対応する外カバー部２３の主カバー部２３１の下方にある主折り部３３１と、対応する外カバー部２３の側カバー部２３２の内側にある側折り部３３２とを備えている。
【００２１】
各第２の山折り線３２は、図３〜図５に示されるように、２つの主折り部３３１に挟まれ、左右方向Ｘに延伸している主折り線段３２１と、主折り線段３２１の左右両端から外側且つ下へ斜めに延伸している２つの斜折り線段３２２と、２つの斜折り線段３２２の先端から下へ延伸している２つの縦折り線段３２３と、２つの縦折り線段３２３の下端から内層カバー３の内側へ延伸している内折り線段３２４とを有する。
【００２２】
好ましくは、各側折り部３３２は、図３〜図５に示されるように、主折り部３３１の左右両端から外側且つ下へ斜めに延伸している上、互いに向かって斜めに連接している２つの斜面部３３３と、２つの斜面部３３３の下端から下へ延伸している上、互いに向かって斜めに連接している２つの側面部３３４と、２つの側面部３３４の下端から内層カバー３の内側へ延伸している上、互いに向かって斜めに連接している２つの内折面部３３５とを更に備えている。
【００２３】
内層カバー３の斜面部３３３が外側且つ下へ斜めに延伸しながら凹下した形状になる設計により、内層カバー３は、外層カバー２の連接部２３４の第１の谷折り線２２における一番外側の部分（例えば図４の左側）と被らないようになっているので、収縮する際の内層カバー３及び外層カバー２の厚さが厚すぎることによる内層カバー３及び外層カバー２の組み合わせ及び作動に対する悪影響を減らすことができて、より多く工作機械に適用できる。
【００２４】
他の実施形態において、より高強度の材料を使用してより薄い内層カバー３及び外層カバー２を構成する場合、収縮する際の多層伸縮カバーの厚さが厚すぎる問題を解決できるため、内層カバー３を外層カバー２を同じ形に構成することもできる。
【００２５】
従って、内層カバー３の内カバー部３３の形は、上記の効果を有するために内側に折っている多面式の構造及び収容空間３３０を画成できれば、必要に応じて適宜の形に構成できる。
【００２６】
各ブロック板４は、図２、図３、図６に示されるように、互いに前後方向Ｙで重なって連接しながら外層カバー２の伸縮移動と共に展開または収縮できるように、外層カバー２の外側に設置されている。また、各ブロック板４は、強度が高い金属材料により構成されているので、この実施形態の耐用性がより高く、金属の加工屑の侵入を防止できる。他の実施形態において、ブロック板４を設置せず、外層カバー２及び内層カバー３だけでも保護効果を有する。
【００２７】
各支持板５は、図３、図５、図６に示されるように、各第２の山折り線３２及び各第２の山折り線３２と対応する各第１の山折り線２１を内層カバー３の内側から支持しながら、前後方向Ｙに移動できるように設置されていて、前後方向Ｙに移動することにより内層カバー３及び外層カバー２を伸縮移動させることができる。
【００２８】
各支持板５は、図３に示されるように、第２の山折り線３２の形に合わせて形成され、対応する第２の山折り線３２に嵌入するための外周縁５１と、外周縁５１の反対側にある内周縁５２とを有し、外周縁５１には、２つの斜折り線段３２２のそれぞれに対応する２つの面取り段５１１を有し、且つ、内周縁５２には、上下方向Ｚにおいて面取り段５１１より下方の位置で、摺動段５２１が左右方向Ｘに延伸するように形成されている。
【００２９】
摺動段５２１は、ローラー（図示せず）を設置するためのものであり、それにより、各支持板５が摺動して互いに接近または離れるように前後方向Ｙに移動することにより内層カバー３及び外層カバー２を伸縮移動させることができる。
【００３０】
本考案の多層伸縮カバーの変化例として、図７に示されるように、各外カバー部２３は、各側カバー部２３２から外層カバー２の内側へ延伸して、対応する内層カバー３の各内折面部３３５を包んでいる２つの包み部２３３を更に備えている。
【００３１】
各包み部２３３は、上下方向Ｚにおいて対応の内折面部３３５より下方の位置にある。
【００３２】
各包み部２３３の設計により、包み部２３３が内折面部３３５を包むので、多層のカバー構造の外側（図７の下方）に向かう隙間がなくなって、保護効果が向上する。
【００３３】
この実施形態において、複数のブロック板４は平面になるように設置構成されているが、必要に応じて、中央が高い屋根（例えば切妻屋根）のような形または他の形になるように設置構成されることもでき、外層カバー２及び内層カバー３の形もブロック板４の形に対応して形成すれば、同じ効果を有する。
【００３４】
また、この実施形態において、１層の内層カバー３を備えるが、他の実施形態において、収容空間３３０を画成している内層カバー３を複数備えることもできる。複数層の内層カバー３により、多層伸縮カバーの耐用年数は大幅に延びる。
【００３５】
上記の構成によれば、本考案の多層伸縮カバーは、内層カバー３の内カバー部３３が画成している収容空間３３０により、外層カバー２の外カバー部２３の折られている部分が収容空間３３０に収容されていると共に、支持板５が内層カバー３の内側に設置されているので、伸縮の際に外層カバーと内層カバーとの間に従来のような干渉が生じず、組み合わせの利便性が高くなり、多層伸縮カバーがよりスムーズに伸縮できる。
【産業上の利用可能性】
【００３６】
本考案の多層伸縮カバーは、工作機械の状態を維持または保護する安全装置として適用できる。
【符号の説明】
【００３７】
２      外層カバー
２１    第１の山折り線
２２    第１の谷折り線
２３    外カバー部
２３１  主カバー部
２３２  側カバー部
２３３  包み部
２３４  連接部
３      内層カバー
３１    第２の谷折り線
３２    第２の山折り線
３２１  主折り線段
３２２  斜折り線段
３２３  縦折り線段
３２４  内折り線段
３３    内カバー部
３３０  収容空間
３３１  主折り部
３３２  側折り部
３３３  斜面部
３３４  側面部
３３５  内折面部
４      ブロック板
５      支持板
５１    外周縁
５１１  面取り段
５２    内周縁
５２１  摺動段
Ｘ      左右方向
Ｙ      前後方向
Ｚ      上下方向
【図１】
0003230065.tif 000003
【図２】
0003230065.tif 000004
【図３】
0003230065.tif 000005
【図４】
0003230065.tif 000006
【図５】
0003230065.tif 000007
【図６】
0003230065.tif 000008
【図７】
0003230065.tif 000009